(57)【要約】【課題】局側装置の光出力パワーモニタ用フォトダイオードを削減しても光出力パワー変動幅を小さくする。【解決手段】加入者側装置２００が局側装置１００からの下り光入力信号のパワーレベルを検出してその検出値に対応した制御情報を局側装置に送信し、局側装置が制御情報に基づいて加入者側装置への下り光出力信号のパワーレベルを制御する。【選択図】　　　　図１
2004032476.tif 000002
【特許請求の範囲】
【請求項１】
局側装置と加入者側装置の間で双方向の光通信を行う光通信システムにおける前記加入者側装置であって、
前記局側装置からの下り光入力信号のパワーレベルを検出する手段と、
その検出値に対応した制御情報を前記局側装置に送信する手段とを、
有する加入者側装置。
【請求項２】
下り光入力信号のパワーレベルの検出値を一定時間間隔毎に前記局側装置へ送信するよう構成された請求項１に記載の加入者側装置。
【請求項３】
下り光入力信号のパワーレベルの検出値が規定範囲内であるかどうかを判別し、規定範囲外であった場合にのみ、その旨を前記局側装置へ送信するよう構成された請求項１に記載の加入者側装置。
【請求項４】
下り光入力信号のパワーレベルの検出値が規定範囲内であるかどうかを判別し、判別結果が複数回連続して規定範囲外であった場合にその旨を前記局側装置へ送信するよう構成された請求項１に記載の加入者側装置。
【請求項５】
規定範囲外通知を送信した後の次回の判別結果が規定範囲外となった場合に、その旨を前記局側装置へ送信するように構成された請求項３又は４に記載の加入者側装置。
【請求項６】
局側装置と加入者側装置の間で双方向の光通信を行う光通信システムであって、前記加入者側装置が前記局側装置からの下り光入力信号のパワーレベルを検出してその検出値に対応した制御情報を前記局側装置に送信する光通信システムにおける前記局側装置であって、
前記制御情報に基づいて前記加入者側装置への下り光出力信号のパワーレベルを制御する手段を有する局側装置。
【請求項７】
前記制御情報が下り光入力信号のパワーレベルの検出値であって、前記検出値が規定範囲内であるかどうかを判別し、規定範囲外であった場合に下り光出力信号のパワーレベルを切り替えるよう構成された請求項６に記載の局側装置。
【請求項８】
前記制御情報が、下り光入力信号のパワーレベルの検出値が規定範囲外である旨を示す規定外通知であって、前記規定外通知を受け取った場合に下り光出力信号のパワーレベルを切り替えるよう構成された請求項６に記載の局側装置。
【請求項９】
前記制御情報が、下り光入力信号のパワーレベルの検出値が規定範囲外である旨を示す規定外通知であって、複数回連続して規定範囲外であった場合に下り光出力信号の出力パワーレベルを切り替えるよう構成された請求項６に記載の局側装置。
【請求項１０】
下り光出力信号のパワーレベルを切り替えた後の次回の判別結果が規定範囲外となった場合にアラームを出力するよう構成された請求項８又は９に記載の局側装置。
【請求項１１】
局側装置と加入者側装置の間で双方向の光通信を行う光通信システムにおける前記局側装置であって、
前記加入者側装置からの上り光出力信号のパワーレベルに基づいて前記加入者側装置への下り光出力信号のパワーレベルを制御するよう構成された局側装置。
【請求項１２】
前記加入者側装置への下り光出力信号のパワーレベルをヒステリシス特性で段階的に切り替えるよう構成された請求項１１に記載の局側装置。
【請求項１３】
前記加入者側装置への下り光出力信号のパワーレベルを切り替えた後、下り信号にダミーデータを挿入するよう構成された請求項６から１２のいずれか１つに記載の局側装置。
【請求項１４】
前記加入者側装置への下り光出力信号のパワーレベルを徐々に変化させるよう構成された請求項６から１３のいずれか１つに記載の局側装置。
【請求項１５】
前記加入者側装置への下り光出力信号がバースト信号であって、前記バースト信号間で下り光出力信号のパワーレベルを切り替えるとともに、前記バースト信号の先頭にプリアンブル信号を付加するよう構成された請求項６から１３のいずれか１つに記載の局側装置。
【請求項１６】
局側装置と加入者側装置の間で双方向の光通信を行う光通信システムにおいて、
前記加入者側装置が前記局側装置からの下り光入力信号のパワーレベルを検出してその検出値に対応した制御情報を前記局側装置に送信し、
前記局側装置が前記制御情報に基づいて前記加入者側装置への下り光出力信号のパワーレベルを制御することを特徴とする光通信システム。
【請求項１７】
前記加入者側装置が下り光入力信号のパワーレベルの検出値を一定時間間隔毎に前記局側装置へ送信し、
前記局側装置が前記検出値が規定範囲内であるかどうかを判別し、規定範囲外であった場合に下り光出力信号のパワーレベルを切り替えることを特徴とする請求項１６に記載の光通信システム。
【請求項１８】
前記加入者側装置が下り光入力信号のパワーレベルの検出値が規定範囲内であるかどうかを判別し、規定範囲外であった場合にのみ、その旨を前記局側装置へ送信し、
前記局側装置が前記規定外通知を受け取った場合に下り光出力信号のパワーレベルを切り替えることを特徴とする請求項１６に記載の光通信システム。
【請求項１９】
前記加入者側装置が下り光入力信号のパワーレベルの検出値を一定時間間隔毎に前記局側装置へ送信し、
前記局側装置が前記検出値が規定範囲内であるかどうかを判別し、判別結果が複数回連続して規定範囲外であった場合に下り光出力信号の出力パワーレベルを切り替えることを特徴とする請求項１６に記載の光通信システム。
【請求項２０】
前記加入者側装置が下り光入力信号のパワーレベルの検出値が規定範囲内であるかどうかを判別し、判別結果が複数回連続して規定範囲外であった場合にその旨を前記局側装置へ送信し、
前記局側装置が前記規定外通知を受け取った場合に下り光出力信号のパワーレベルを切り替えることを特徴とする請求項１６に記載の光通信システム。
【請求項２１】
前記局側装置が下り光出力信号のパワーレベルを切り替えた後の次回の判別結果が規定範囲外となった場合にアラームを出力することを特徴とする請求項１６から２０のいずれか１つに記載の光通信システム。
【請求項２２】
局側装置と加入者側装置の間で双方向の光通信を行う光通信システムにおいて、
前記局側装置が前記加入者側装置からの上り光出力信号のパワーレベルに基づいて前記加入者側装置への下り光出力信号のパワーレベルを制御することを特徴とする光通信システム。
【請求項２３】
前記局側装置が前記加入者側装置への下り光出力信号のパワーレベルをヒステリシス特性で段階的に切り替えることを特徴とする請求項２２に記載の光通信システム。
【請求項２４】
前記局側装置が前記加入者側装置への下り光出力信号のパワーレベルを切り替えた後、下り信号にダミーデータを挿入することを特徴とする請求項１６から２３のいずれか１つに記載の光通信システム。
【請求項２５】
前記局側装置が前記加入者側装置への下り光出力信号のパワーレベルを徐々に変化させることを特徴とする請求項１６から２３のいずれか１つに記載の光通信システム。
【請求項２６】
前記加入者側装置への下り光出力信号がバースト信号であって、前記局側装置が前記バースト信号間で下り光出力信号のパワーレベルを切り替えるとともに、前記バースト信号の先頭にプリアンブル信号を付加することを特徴とする請求項１６から２３のいずれか１つに記載の光通信システム。
【発明の詳細な説明】
【０００１】
【発明の属する技術分野】
本発明は、局側装置と加入者側装置の間で双方向の光通信を行う光通信システム、局側装置及び加入者側装置に関する。
【０００２】
【従来の技術】
図１７に従来の光通信システムを示す。図１７において、局側装置１００から加入者側装置２００への下りデータは光ファイバ１７０４を媒体として伝送され、加入者側装置２００から局側装置１００へ上りデータは光ファイバ１７１０を媒体として伝送される。
【０００３】
局側装置１００から送信される下りデータを含んだ下り光信号は、ＬＤ１７０２に下り送信回路１７０１がパルス駆動電流Ｉｌｄを流すことによって送信される。パルス駆動電流Ｉｌｄは、電圧制御電流源１７０１２に流れる電流をカレントスイッチ１７０１１が下りパルス列のレベル＝１、０に応じて流れる経路を切り替えることによって作られる。下りパルス列は下りデータを含んでおり、下りパルス列合成回路１７０１３によって作られる。
【０００４】
ＭＰＤ（モニタ用フォトダイオード）１７０３はＬＤ１７０２の背面光Ｐｂを受光し、光電気変換して得られたモニタ電流Ｉｍｐｄがオートパワーコントロール（ＡＰＣ）回路（図では単にＡＰＣとして示す）１７０１４に入力される。ＡＰＣ回路１７０１４は、モニタ電流Ｉｍｐｄが一定となるように電圧制御電流源１７０１２の制御電圧を調整する。これにより、下り光出力パワーレベルＰｏｄは、ほぼ一定に保たれ、加入者側装置２００に入力する下り光入力パワーレベルＰｉｄが一定範囲内に収められる。
【０００５】
ＬＤ１７０２の下りデータを含んだ下り光信号は、光ファイバ１７０４を通過した後、加入者側装置２００に入力され、ＰＤ１７０５により光電気変換され、変換後の光電流Ｉｐｄは下り受信回路１７０６に入力される。光電流Ｉｐｄは、受信増幅回路１７０６１によってデジタル電圧信号に変換され、下りパルス列が再生される。下りパルス列分解回路１７０６２は再生された下りパルス列から下りデータのみを抜き出して出力する。
上り方向についても、下り方向と全く同じように上りデータが伝送される。
【０００６】
【発明が解決しようとする課題】
しかしながら、従来の光通信システムにおいては、光出力をほぼ一定に保つために局側装置１００と加入者側装置２００の双方にＭＰＤ１７０３、１７０９が必要であるため、光モジュールを小型、低コストで実現することが難しいという問題があった。
【０００７】
本発明は、従来の問題を解決するためになされたもので、局側装置のモニタ用フォトダイオードを削減しても局側装置の光出力パワーの変動幅を小さくすることのできる光通信システム、局側装置及び加入者側装置を提供することを目的とする。
【０００８】
【課題を解決するための手段】
本発明は上記目的を達成するために、局側装置と加入者側装置の間で双方向の光通信を行う光通信システムにおける前記加入者側装置であって、
前記局側装置からの下り光入力信号のパワーレベルを検出する手段と、
その検出値に対応した制御情報を前記局側装置に送信する手段とを、
有することを特徴とする。
上記構成により、局側装置のモニタ用フォトダイオードを削減しても加入者側装置の光入力パワーを一定範囲内に収めることができる。
【０００９】
本発明はまた、請求項１に記載の加入者側装置において、下り光入力信号のパワーレベルの検出値を一定時間間隔毎に前記局側装置へ送信することを特徴とする。
上記構成により、局側装置のモニタ用フォトダイオードを削減しても加入者側装置の光入力パワーを一定範囲内に収めることができる。
【００１０】
本発明はまた、請求項１に記載の加入者側装置において、下り光入力信号のパワーレベルの検出値が規定範囲内であるかどうかを判別し、規定範囲外であった場合にのみ、その旨を前記局側装置へ送信することを特徴とする。
上記構成により、局側装置のモニタ用フォトダイオードを削減しても加入者側装置の光入力パワーを一定範囲内に収めることができ、また、上り方向の最大転送能力に与える影響を小さくすることができる。
【００１１】
本発明はまた、請求項１に記載の加入者側装置において、下り光入力信号のパワーレベルの検出値が規定範囲内であるかどうかを判別し、判別結果が複数回連続して規定範囲外であった場合にその旨を前記局側装置へ送信することを特徴とする。
上記構成により、局側装置のモニタ用フォトダイオードを削減しても加入者側装置の光入力パワーを一定範囲内に収めることができ、また、局側装置の光出力が瞬断してもその影響を受けずに局側装置の光出力パワーを制御することができる。
本発明はまた、請求項３又は４に記載の加入者側装置において、規定範囲外通知を送信した後の次回の判別結果が規定範囲外となった場合に、その旨を前記局側装置へ送信することを特徴とする。
上記構成により、局側装置が最初の規定範囲外通知により下り光出力信号のパワーレベルを切り替えた後に規定範囲外となった場合にアラームを出力することにより、下り光伝送路の不具合を判断することができる。
【００１２】
本発明はまた、局側装置と加入者側装置の間で双方向の光通信を行う光通信システムであって、前記加入者側装置が前記局側装置からの下り光入力信号のパワーレベルを検出してその検出値に対応した制御情報を前記局側装置に送信する光通信システムにおける前記局側装置であって、
前記制御情報に基づいて前記加入者側装置への下り光出力信号のパワーレベルを制御する手段を有することを特徴とする。
上記構成により、局側装置のモニタ用フォトダイオードを削減しても加入者側装置の光入力パワーを一定範囲内に収めることができる。
【００１３】
本発明はまた、請求項６に記載の局側装置において、前記制御情報が下り光入力信号のパワーレベルの検出値であって、前記検出値が規定範囲内であるかどうかを判別し、規定範囲外であった場合に下り光出力信号のパワーレベルを切り替えることを特徴とする。
上記構成により、局側装置のモニタ用フォトダイオードを削減しても加入者側装置の光入力パワーを一定範囲内に収めることができる。
【００１４】
本発明はまた、請求項６に記載の局側装置において、前記制御情報が、下り光入力信号のパワーレベルの検出値が規定範囲外である旨を示す規定外通知であって、前記規定外通知を受け取った場合に下り光出力信号のパワーレベルを切り替えることを特徴とする。
上記構成により、局側装置のモニタ用フォトダイオードを削減しても加入者側装置の光入力パワーを一定範囲内に収めることができ、また、上り方向の最大転送能力に与える影響を小さくすることができる。
【００１５】
本発明はまた、請求項６に記載の局側装置において、前記制御情報が、下り光入力信号のパワーレベルの検出値が規定範囲外である旨を示す規定外通知であって、複数回連続して規定範囲外であった場合に下り光出力信号の出力パワーレベルを切り替えることを特徴とする。
上記構成により、局側装置のモニタ用フォトダイオードを削減しても加入者側装置の光入力パワーを一定範囲内に収めることができ、また、局側装置の光出力が瞬断してもその影響を受けずに局側装置の光出力パワーを制御することができる。
【００１６】
本発明はまた、請求項８又は９に記載の局側装置において、下り光出力信号のパワーレベルを切り替えた後の次回の判別結果が規定範囲外となった場合にアラームを出力することを特徴とする。
上記構成により、局側装置のモニタ用フォトダイオードを削減しても加入者側装置の光入力パワーを一定範囲内に収めることができ、また、局側装置で下り光伝送路の不具合を判断することができる。
【００１７】
本発明はまた、局側装置と加入者側装置の間で双方向の光通信を行う光通信システムにおける前記局側装置であって、
前記加入者側装置からの上り光出力信号のパワーレベルに基づいて前記加入者側装置への下り光出力信号のパワーレベルを制御することを特徴とする。
上記構成により、局側装置のモニタ用フォトダイオードを削減しても加入者側装置の光入力パワーを一定範囲内に収めることができる。
【００１８】
本発明はまた、請求項１１に記載の局側装置において、前記加入者側装置への下り光出力信号のパワーレベルをヒステリシス特性で段階的に切り替えることを特徴とする。
上記構成により、局側装置のモニタ用フォトダイオードを削減しても加入者側装置の光入力パワーを一定範囲内に収めることができ、また、加入者側装置への下り光出力信号のパワーレベルが頻繁に切り替わることを防止することができる。
【００１９】
本発明はまた、請求項６から１２のいずれか１つに記載の局側装置において、前記加入者側装置への下り光出力信号のパワーレベルを切り替えた後、下り信号にダミーデータを挿入することを特徴とする。
上記構成により、下り光出力信号のパワーレベルを切り替えるときに、下り信号が誤ることを防止することができる。
【００２０】
本発明はまた、請求項６から１３のいずれか１つに記載の局側装置において、前記加入者側装置への下り光出力信号のパワーレベルを徐々に変化させることを特徴とする。
上記構成により、下り光出力信号のパワーレベルを切り替えるときに、下り信号が誤ることを防止することができ、また、下り信号の一時的な伝送容量の低下を防止することができる。
【００２１】
本発明はまた、請求項６から１３のいずれか１つに記載の局側装置において、前記加入者側装置への下り光出力信号がバースト信号であって、前記バースト信号間で下り光出力信号のパワーレベルを切り替えるとともに、前記バースト信号の先頭にプリアンブル信号を付加することを特徴とする。
上記構成により、下り光出力信号のパワーレベルを切り替えるときに、下り信号が誤ることを防止することができる。
【００２２】
本発明は上記目的を達成するために、局側装置と加入者側装置の間で双方向の光通信を行う光通信システムにおいて、
前記加入者側装置が前記局側装置からの下り光入力信号のパワーレベルを検出してその検出値に対応した制御情報を前記局側装置に送信し、
前記局側装置が前記制御情報に基づいて前記加入者側装置への下り光出力信号のパワーレベルを制御することを特徴とする。
上記構成により、局側装置のモニタ用フォトダイオードを削減しても加入者側装置の光入力パワーを一定範囲内に収めることができる。
【００２３】
本発明はまた、請求項１６に記載の光通信システムにおいて、前記加入者側装置が下り光入力信号のパワーレベルの検出値を一定時間間隔毎に前記局側装置へ送信し、
前記局側装置が前記検出値が規定範囲内であるかどうかを判別し、規定範囲外であった場合に下り光出力信号のパワーレベルを切り替えることを特徴とする。上記構成により、局側装置のモニタ用フォトダイオードを削減しても加入者側装置の光入力パワーを一定範囲内に収めることができる。
【００２４】
本発明はまた、請求項１６に記載の光通信システムにおいて、前記加入者側装置が下り光入力信号のパワーレベルの検出値が規定範囲内であるかどうかを判別し、規定範囲外であった場合にのみ、その旨を前記局側装置へ送信し、
前記局側装置が前記規定外通知を受け取った場合に下り光出力信号のパワーレベルを切り替えることを特徴とする。
上記構成により、局側装置のモニタ用フォトダイオードを削減しても加入者側装置の光入力パワーを一定範囲内に収めることができ、また、上り方向の最大転送能力に与える影響を小さくすることができる。
【００２５】
本発明はまた、請求項１６に記載の光通信システムにおいて、前記加入者側装置が下り光入力信号のパワーレベルの検出値を一定時間間隔毎に前記局側装置へ送信し、
前記局側装置が前記検出値が規定範囲内であるかどうかを判別し、判別結果が複数回連続して規定範囲外であった場合に下り光出力信号の出力パワーレベルを切り替えることを特徴とする。
上記構成により、局側装置のモニタ用フォトダイオードを削減しても加入者側装置の光入力パワーを一定範囲内に収めることができ、また、局側装置の光出力が瞬断してもその影響を受けずに局側装置の光出力パワーを制御することができる。
【００２６】
本発明はまた、請求項１６に記載の光通信システムにおいて、前記加入者側装置が下り光入力信号のパワーレベルの検出値が規定範囲内であるかどうかを判別し、判別結果が複数回連続して規定範囲外であった場合にその旨を前記局側装置へ送信し、
前記局側装置が前記規定外通知を受け取った場合に下り光出力信号のパワーレベルを切り替えることを特徴とする。
上記構成により、局側装置のモニタ用フォトダイオードを削減しても局側装置の光出力パワーの変動幅を小さくすることができ、また、加入者側装置の光出力が瞬断しても局側装置の光出力パワーを制御することができる。
【００２７】
本発明はまた、請求項１６から２０のいずれか１つに記載の光通信システムにおいて、前記局側装置が下り光出力信号のパワーレベルを切り替えた後の次回の判別結果が規定範囲外となった場合にアラームを出力することを特徴とする。
上記構成により、局側装置のモニタ用フォトダイオードを削減しても局側装置の光出力パワーの変動幅を小さくすることができ、また、局側装置側で下り光伝送路の不具合を判断することができる。
【００２８】
本発明はまた、局側装置と加入者側装置の間で双方向の光通信を行う光通信システムにおいて、
前記局側装置が前記加入者側装置からの上り光出力信号のパワーレベルに基づいて前記加入者側装置への下り光出力信号のパワーレベルを制御することを特徴とする。
上記構成により、局側装置のモニタ用フォトダイオードを削減しても局側装置の光出力パワーの変動幅を小さくすることができる。
【００２９】
本発明はまた、請求項２２に記載の光通信システムにおいて、前記局側装置が前記加入者側装置への下り光出力信号のパワーレベルをヒステリシス特性で段階的に切り替えることを特徴とする。
上記構成により、局側装置のモニタ用フォトダイオードを削減しても局側装置の光出力パワーの変動幅を小さくすることができ、また、加入者側装置への下り光出力信号のパワーレベルが頻繁に切り替わることを防止することができる。
【００３０】
本発明はまた、請求項１６から２３のいずれか１つに記載の光通信システムにおいて、前記局側装置が前記加入者側装置への下り光出力信号のパワーレベルを切り替えた後、下り信号にダミーデータを挿入することを特徴とする。
上記構成により、下り光出力信号のパワーレベルを切り替えるときに、下り信号が誤ることを防止することができる。
【００３１】
本発明はまた、請求項１６から２３のいずれか１つに記載の光通信システム前記局側装置が前記加入者側装置への下り光出力信号のパワーレベルを徐々に変化させることを特徴とする。
上記構成により、下り光出力信号のパワーレベルを切り替えるときに、下り信号が誤ることを防止することができ、また、下り信号の一時的な伝送容量の低下を防止することができる。
【００３２】
本発明はまた、請求項１６から２３のいずれか１つに記載の光通信システムにおいて、前記加入者側装置への下り光出力信号がバースト信号であって、前記局側装置が前記バースト信号間で下り光出力信号のパワーレベルを切り替えるとともに、前記バースト信号の先頭にプリアンブル信号を付加することを特徴とする。
上記構成により、下り光出力信号のパワーレベルを切り替えるときに、下り信号が誤ることを防止することができる。
【００３３】
【発明の実施の形態】
以下、本発明の実施の形態について図面を参照して説明する。
＜第１の実施の形態＞
本発明の第１（及び第２〜第４）の実施の形態の光通信システムのブロック図を図１に示す。図１において、局側装置１００から加入者側装置２００への下りデータは光ファイバ１０４を媒体として伝送され、加入者側装置２００から局側装置１００への上りデータは光ファイバ１１０を媒体として伝送される。
【００３４】
下りデータを含んだ下り光信号は、光ファイバ１０４を通過した後、加入者側装置２００に入力され、ＰＤ１０５により光電気変換される。変換後の光電流Ｉｐｄは下り受信回路１０６に入力される。下り受信回路１０６は光電流Ｉｐｄをデジタル電圧信号に変換し、さらに下りデータのみを抜き出して出力するとともに、下り入力パワーレベルを検出して、検出結果をデジタルデータに変換して出力する。下り受信回路１０６は、受信増幅回路１０６１と、下りパルス列分解回路１０６２とアナログ−デジタル変換回路（ＡＤＣ）１０６３とを有し、受信増幅回路１０６１によって光電流Ｉｐｄがデジタル電圧信号に変換され、下りパルス列が再生される。下りパルス列分解回路１０６２は下りパルス列から下りデータを抜き出して出力する。また、受信増幅回路１０６１は下り光入力パワーレベルを検出し、検出結果はＡＤＣ１０６３によってデジタルデータに変換されて上り送信回路１０７に出力される。
【００３５】
加入者側装置２００から送信される上りデータを含んだ上り光信号は、ＬＤ１０８に上り送信回路１０７がパルス駆動電流Ｉｌｄを流すことによって送信され、パルス駆動電流Ｉｌｄは、電圧制御電流源１０７２に流れる電流をカレントスイッチ１０７１が上りパルス列のレベル＝１、０に応じて流れる経路を切り替えることによって作られる。上りパルス列は上りデータと下り受信回路１０６から入力された下り光入力パワーレベルに関する情報を含んでおり、上りパルス列合成回路１０７３によって作られる。ＭＰＤ１０９はＬＤ１０８の背面光Ｐｂを受信し、光電気変換して得られたモニタ電流Ｉｍｐｄがオートパワーコントロール（ＡＰＣ）回路１０７４に入力され、ＡＰＣ回路１０７４は、モニタ電流Ｉｍｐｄが一定となるように電圧制御電流源１０７２の制御電圧を調整する。これにより、上り光出力パワーレベルＰｏｕは、ほぼ一定に保たれる。
【００３６】
上りデータを含んだ上り光信号は、光ファイバ１１０を通過した後、局側装置１００に入力され、ＰＤ１１１により光電気変換される。変換後の光電流Ｉｐｄは上り受信回路１１２に入力される。上り受信回路１１２は光電流Ｉｐｄをデジタル電圧信号に変換し、さらに下りデータを抜き出して出力する。上り受信回路１１２は受信増幅回路１１２１と上りパルス列分解回路１１２２とを有し、受信増幅回路１１２１によって光電流Ｉｐｄがデジタル電圧信号に変換され、上りパルス列が再生される。上りパルス列分解回路１１２２は上りパルス列から上りデータを抜き出して出力するとともに、下り光入力パワーレベルに関する情報を抜き出す。
【００３７】
局側装置１００から送信される下りデータを含んだ下り光信号は、ＬＤ１０２に下り送信回路１０１がパルス駆動電流Ｉｌｄを流すことによって送信され、パルス駆動電流Ｉｌｄは、電圧制御電流源１０１２に流れる電流をカレントスイッチ１０１１が下りパルス列のレベル＝１、０に応じて流れる経路を切り替えることによって作られる。下りパルス列は下りデータを含んでおり、下りパルス列合成回路１０１３によって作られる。電圧制御電流源１０１２の制御電圧は、上り受信回路１１２から入力した下り光入力パワーレベルに関する情報を基に、送信レベル設定機能部１０１５によって設定値が決められ、デジタル−アナログ変換回路（ＤＡＣ）１０１６によって電圧に変換されて与えられる。
なお、下りパルス列合成回路１０１３に、送信レベル設定機能部１０１５から信号線が接続されているが、これは後述する本発明の第１４の実施の形態において必要となるのもである。
【００３８】
以上のように構成された光通信システムについてその動作を説明する。図２は本発明の第１の実施の形態の光通信システムの動作説明図である。加入者側装置２００において、上りパルス列合成回路１０７３が下り光入力パワーレベル検出値を一定時間間隔毎に収集し、局側装置１００へ送信する。局側装置１００では、上りパルス列分解回路１１２２において下り光入力パワーレベル検出値を抽出し、検出値が規定範囲内であるかどうかを判別して、規定範囲外であった場合、送信レベル設定機能部１０１５に通知し、下り光出力パワーレベルを切り替える。
【００３９】
このような本発明の第１の実施の形態によれば、加入者側装置２００の入力における下り光入力パワーレベル情報を基に局側装置１００の下り光出力パワーレベルを切り替えることで、局側装置１００のＭＰＤを削減しても加入者側装置２００の光入力パワーを一定範囲内に収めることができる。
【００４０】
＜第２の実施の形態＞
図３は本発明の第２の実施の形態の光通信システムの動作説明図である。加入者側装置２００において、上りパルス列合成回路１０７３が下り光入力パワーレベル検出値を一定時間間隔毎に収集し、検出値が規定範囲内であるかどうかを判別して、規定範囲外であった場合のみ、局側装置１００へ上方向又は下方向への「規定外通知」を送信する。局側装置１００では、上りパルス列分解回路１１２２において「規定外通知」を抽出し、抽出された場合、さらに送信レベル設定機能部１０１５にその旨を通知し、下り光出力パワーレベルを切り替える。
【００４１】
このような本発明の第２の実施の形態によれば、加入者側装置２００の入力における下り光入力パワーレベル情報を基に局側装置１００の下り光出力パワーレベルを切り替えることで、局側装置１００のＭＰＤを削減しても加入者側装置２００の光入力パワーを一定範囲内に収めることができ、また、本発明の第１の実施の形態よりも局側装置１００に送信する光入力パワーレベルに関する情報量が少ないため、上りデータの最大転送能力の面で有利であるという利点を有する。
【００４２】
＜第３の実施の形態＞
図４は本発明の第３の実施の形態の光通信システムの動作説明図である。第３の実施の形態では、第１の実施の形態の光通信システムを改良したものであり、上りパルス列分解回路１１２２において下り光入力パワーレベル検出値を抽出し、検出値が規定範囲内であるかどうかを判別して、判別結果が複数回数連続して規定範囲外であった場合、送信レベル設定機能部１０１５に通知し、下り光出力パワーレベルを切り替える。
【００４３】
このような本発明の第３の実施の形態によれば、加入者側装置２００の入力における下り光入力パワーレベル情報を基に局側装置１００の下り光出力パワーレベルを切り替えることで、局側装置１００のＭＰＤを削減しても加入者側装置２００の光入力パワーを一定範囲内に収めることができ、また、複数回の判別結果を基に下り光出力パワーレベルを制御することで、局側装置１００の光出力が何らかの原因で瞬断した場合の影響を回避することが可能となる。
【００４４】
＜第４の実施の形態＞
図５は本発明の第４の実施の形態の光通信システムの動作説明図である。第４の実施の形態は、第２の実施の形態の光通信システムを改良したものであり、上りパルス列合成回路１０７３が下り光入力パワーレベル検出値を一定時間間隔毎に収集し、検出値が規定範囲内であるかどうかを判別して、判別結果が複数回数連続して規定範囲外であった場合のみ、局側装置１００へ「規定外通知」を送信する。
【００４５】
このような本発明の第４の実施の形態によれば、加入者側装置２００の入力における下り光入力パワーレベル情報を基に局側装置１００の下り光出力パワーレベルを切り替えることで、局側装置１００のＭＰＤを削減しても加入者側装置２００の光入力パワーを一定範囲内に収めることができ、また、本発明の第３の実施の形態と同様に、複数回の判別結果を基に下り光出力パワーレベルを制御することで、局側装置１００の光出力が何らかの原因で瞬断した場合の影響を回避することが可能となる。
【００４６】
＜第５の実施の形態＞
次に、本発明の第５（及び第６）の実施の形態の光通信システムのブロック図を図６に示す。図６において、第１〜４の実施の形態の光通信システム（図１）の送信レベル設定機能部１０１５にアラーム出力が追加されている。図７は、本発明の第５の実施の形態の光通信システムの動作説明図である。
【００４７】
第５の実施の形態は第１の実施の形態の光通信システムを改良したものであり、局側装置１００において、加入者側装置２００から受信した下り光入力パワーレベル検出値の判別結果が規定範囲外となり下り光出力パワーレベルを切り替えたにも関わらず、次回の判別結果が再度「規定範囲外」となった場合にアラームを出力する。
【００４８】
このような本発明の第５の実施の形態によれば、加入者側装置２００における光入力パワーレベルが低下した原因が下り光伝送経路（光ファイバ１０４）に生じた何らかの不具合であるのかどうかを局側装置１００で判断することが可能となる。
【００４９】
＜第６の実施の形態＞
図８は本発明の第６の実施の形態の光通信システムの動作説明図である。第６の実施の形態は、第２の実施の形態の光通信システムを改良したものであり、加入者側装置２００において、下り光入力パワーレベル検出値の判別結果が「規定範囲外」となり局側装置１００へ「規定外通知」を送信したにも関わらず、次回の判別結果が再度「規定範囲外」となった場合にアラームを出力する。
【００５０】
このような本発明の第６の実施の形態によれば、第５の実施の形態と同様に、加入者側装置２００における光入力パワーレベルが低下した原因が下り光伝送経路（光ファイバ１０４）に生じた何らかの不具合であるのかどうかを局側装置１００で判断することが可能となる。
【００５１】
＜第７の実施の形態＞
次に、本発明の第７の実施の形態の光通信システムの一部のブロック図を図９に示す。本発明の第７の実施の形態は、第１〜第６の実施の形態の光通信システムの加入者装置２００を複数台収容する局側装置１００を有する光通信システムであり、下り送信用ＬＤとして、ＬＤアレイを使用しているという特徴を有する。図９は、ＬＤアレイの周辺ブロック図である。図９において、ＬＤアレイ９０２の各光出力は光ファイバ１０４ａ、１０４ｂ、１０４ｃ、１０４ｄに結合され、ＬＤアレイ９０２は、ワイヤ９０６ａ、９０６ｂ、９０６ｃ、９０６ｄと信号伝送線路９０５ａ、９０５ｂ、９０５ｃ、９０５ｄを介して下り送信回路１０１ａ、１０１ｂ、１０１ｃ、１０１ｄと接続されている。
【００５２】
比較のため、図１８にＭＰＤを必要とする場合のＬＤアレイ周辺ブロック図を示した。図１８では、ワイヤ１８０６ａ、１８０６ｂ、１８０６ｃ、１８０６ｄがＭＰＤ１８０３ａ、１８０３ｂ、１８０３ｃ、１８０３ｄを飛び越えて配線されるため、配線長が長く特性劣化が生じるばかりでなく、ＭＰＤの配線が非常に困難であるという課題がある。一方、図９に示した本発明の第７の実施の形態では、ＭＰＤが不要であるため、ＬＤアレイ９０２の適用による光モジュールの小型化、低コスト化が実現できる。
【００５３】
＜第８の実施の形態＞
次に、本発明の第８の実施の形態の光通信システムのブロック図を図１０に示す。本発明の第８の実施の形態は、第１〜第７の実施の形態の光通信システムにおいて、下り光信号と上り光信号を３ｄＢカプラ１０２１、１０２２を用いて、１本の光ファイバ１００４にて伝送するようにしたものである。
【００５４】
このような本発明の第８の実施の形態によれば、下り光信号と上り光信号を、１本の光ファイバ１００４にて伝送していることにより、光通信システムのトータルコストを下げられるばかりでなく、本発明の第５及び第６の実施の形態のようにアラーム出力を設けた場合、下り光伝送線路に生じた不具合が光ファイバ上の不具合ではないことがわかるという利点を有する。
【００５５】
＜第９の実施の形態＞
次に、本発明の第９の実施の形態の光通信システムのブロック図を図１１に示す。本発明の第９の実施の形態は、第１〜第７の実施の形態の光通信システムにおいて、下り光信号と上り光信号をＷＤＭカプラ１１１３、１１１４を用いて、１本の光ファイバ１１０４にて伝送するようにしたものである。
【００５６】
このような本発明の第９の実施の形態によれば、本発明の第８の実施の形態と同様に、下り光信号と上り光信号を１本の光ファイバ１１０４にて伝送していることにより、光通信システムのトータルコストを下げられるばかりでなく、本発明の第５及び第６の実施の形態のようにアラーム出力を設けた場合、下り光伝送線路に生じた不具合が光ファイバ上の不具合ではないことがわかるという利点を有する。さらに、本発明の第８の実施の形態と比較してカプラ損失が少なく、送信パワーの低下や受信パワーの上昇、及び光ファイバ伝送損失の許容といった装置仕様の緩和が可能となる。
【００５７】
＜第１０の実施の形態＞
次に、本発明の第１０の実施の形態の光通信システムを図１２に示す。図１２において、局側装置１００から加入者側装置２００へ下りデータが光ファイバ１２０４を媒体として伝送され、加入者側装置２００から局側装置１００へ上りデータが光ファイバ１２１０を媒体として伝送される。
【００５８】
加入者側装置２００から送信される上りデータを含んだ上り光信号は、ＬＤ１２０８に上り送信回路１２０７がパルス駆動電流Ｉｌｄを流すことによって送信され、パルス駆動電流Ｉｌｄは、電圧制御電流源１２０７２に流れる電流をカレントスイッチ１２０７１が上りパルス列のレベル＝１、０に応じて流れる経路を切り替えることによって作られる。上りパルス列は、上りデータを含んでおり、上りパルス列合成回路１２０７３によって作られる。ＭＰＤ１２０９はＬＤ１２０８の背面光Ｐｂを受信し、光電気変換して得られたモニタ電流Ｉｍｐｄがオートパワーコントロール（ＡＰＣ）回路１２０７４に入力され、ＡＰＣ回路１２０７４は、モニタ電流Ｉｍｐｄが一定となるように電圧制御電流源１２０７２の制御電圧を調整する。これにより、上り光出力パワーレベルＰｏｕは、ほぼ一定に保たれる。
【００５９】
上りデータを含んだ上り光信号は、光ファイバ１２１０を通過した後、局側装置１００に入力され、ＰＤ１２１１により光電気変換される。変換後の光電流Ｉｐｄは上り受信回路１２１２に入力される。上り受信回路１２１２は光電流Ｉｐｄをデジタル電圧信号に変換し、さらに上りデータのみを抜き出して出力するとともに、上り入力パワーレベルを検出して、検出結果をデジタルデータに変換して出力する。上り受信回路１２１２は受信増幅回路１２１２１と、上りパルス列分解回路１２１２２とＡＤＣ１２１２３とを有し、受信増幅回路１２１２１によって光電流Ｉｐｄがデジタル電圧信号に変換され、上りパルス列が再生される。上りパルス列分解回路１２１２２は上りパルス列から上りデータを抜き出して出力する。また、受信増幅回路１２１２１は上り光入力パワーレベルを検出し、検出結果はＡＤＣ１２１２３によってデジタルデータに変換されて出力される。
【００６０】
局側装置１００から送信される下りデータを含んだ下り光信号は、ＬＤ１２０２に下り送信回路１２０１がパルス駆動電流Ｉｌｄを流すことによって送信され、パルス駆動電流Ｉｌｄは、電圧制御電流源１２０１２に流れる電流をカレントスイッチ１２０１１が下りパルス列のレベル＝１、０に応じて流れる経路を切り替えることによって作られる。下りパルス列は、下りデータを含んでおり、下りパルス列合成回路１２０１３によって作られる。電圧制御電流源１２０１２の制御電圧は、上り受信回路１２１２から入力した上り光入力パワーレベル情報を基に、送信レベル設定機能部１２０１５によって光伝送路の損失が推測され設定値が決められ、ＤＡＣ１２０１６によって電圧に変換されて与えられる。
【００６１】
下りデータを含んだ下り光信号は、光ファイバ１２０４を通過した後、加入者側装置２００に入力され、ＰＤ１２０５により光電気変換される。変換後の光電流Ｉｐｄは下り受信回路１２０６に入力される。下り受信回路１２０６は光電流Ｉｐｄをデジタル電圧信号に変換し、さらに下りデータのみを抜き出して出力するとともに、下り入力パワーレベルを検出して、検出結果をデジタルデータに変換して出力する。下り受信回路１２０６は受信増幅回路１２０６１と下りパルス列分解回路１２０６２とを有し、受信増幅回路１２０６１によって光電流Ｉｐｄがデジタル電圧信号に変換され、下りパルス列が再生される。下りパルス列分解回路１２０６２は下りパルス列から下りデータを抜き出して出力する。
【００６２】
このような本発明の第１０の実施の形態によれば、局側装置１００の入力における上り光入力パワーレベル情報を基に光伝送路の損失を推測して局側装置１００の下り光出力パワーレベルを変化させることで、局側装置１００のＭＰＤを削減しても加入者側装置２００の光入力パワーを一定範囲内に収めることができる。なお、下りパルス列合成回路１２０１３に、送信レベル設定機能部１２０１５から信号線が接続されているが、これは後述する本発明の第１４の実施の形態において必要となる。
【００６３】
＜第１１の実施の形態＞
次に、本発明の第１１の実施の形態を説明する。ブロック構成は図１２に示した本発明の第１０の実施の形態と同様である。本発明の第１１の実施の形態は、下り光出力パワーレベルを上り光入力パワーレベルに応じて段階的に切り替えるようにした場合に、図１３に示すように、切り替えタイミングにヒステリシス特性を持たせたものである。
【００６４】
このような本発明の第１１の実施の形態によれば、上り光入力パワーレベルが切り替えタイミング付近となっている場合においても、下り光出力パワーレベルが頻繁に切り替わることを防止することが可能となる。
【００６５】
＜第１２の実施の形態＞
次に、本発明の第１２の実施の形態を説明する。本発明の第１２の実施の形態は、前記した第１０及び第１１の実施の形態の光通信システムにおいて、下り光信号と上り光信号を３ｄＢカプラを用いて１本の光ファイバにて伝送するようにしたものである。
【００６６】
このような本発明の第１２の実施の形態によれば、下り光信号と上り光信号を１本の光ファイバにて伝送していることにより、上り伝送路損失と下り伝送路損失の違いに起因した加入者側装置における下り光入力パワーレベルのバラツキを防げるという利点を有する。
【００６７】
＜第１３の実施の形態＞
次に、本発明の第１３の実施の形態を説明する。本発明の第１３の実施の形態は、前記した第１０及び第１１の実施の形態の光通信システムにおいて、下り光信号と上り光信号をＷＤＭカプラを用いて１本の光ファイバにて伝送するようにしたものである。
【００６８】
このような本発明の第１３の実施の形態によれば、本発明の第１２の実施の形態と同様に、下り光信号と上り光信号を１本の光ファイバにて伝送していることにより、上り伝送路損失と下り伝送路損失の違いに起因した加入者側装置における下り光入力パワーレベルのバラツキを防げるという利点を有するばかりでなく、送信パワーの低下や受信パワーの上昇、及び光ファイバ伝送損失の許容といった装置仕様の緩和が可能となる。
【００６９】
＜第１４の実施の形態＞
次に、本発明の第１４の実施の形態の光通信システムを図１４を用いて説明する。本発明の第１４の実施の形態は、下り光出力パワーレベルを段階的に切り替える場合、送信レベル設定機能部１２０１５が下り出力パワーレベルを切り替えてから、少なくとも加入者側装置２００の下り受信回路が下り光入力パワーレベルの変動に追従するまでの間、下りパルス列合成回路１２０１３が下り信号にダミーデータを挿入するようにしたものである。
【００７０】
このような本発明の第１４の実施の形態によれば、下り出力パワーレベルの切り替えによって、必要な下りデータが誤ることを防止することができる。
【００７１】
＜第１５の実施の形態＞
次に、本発明の第１５の実施の形態の光通信システムを図１５を用いて説明する。本発明の第１５の実施の形態は、送信レベル設定機能部１２０１５が下り光出力パワーレベルを段階的に切り替える場合、下り出力パワーレベルを徐々に変化させて切り替えるようにしたものである。
【００７２】
このような本発明の第１５の実施の形態によれば、下り出力パワーレベルの切り替えによって、必要な下りデータが誤ってしまうことを防止することができるとともに、切り替えに伴う下りデータの一時的な伝送容量低下を生じないという利点を有する。
【００７３】
＜第１６の実施の形態＞
次に、本発明の第１６の実施の形態の光通信システムを図１６を用いて説明する。本発明の第１５の実施の形態は、下り光信号がバースト信号である場合、バースト信号間で光出力を切り替えるとともに、バースト信号の先頭にプリアンブル信号を付加したものである。
【００７４】
このような本発明の第１６の実施の形態によれば、下り光信号がバースト信号である場合、下り出力パワーレベルの切り替えによって、必要な下りデータが誤ってしまうことを防止することができる。
【００７５】
【発明の効果】
以上説明したように請求項１、２、６、７、１１、１６、１７、２２に記載の発明によれば、局側装置のモニタ用フォトダイオードを削減しても加入者側装置の光入力パワーを一定範囲内に収めることができる。
請求項３、８、１８に記載の発明によれば、局側装置のモニタ用フォトダイオードを削減しても加入者側装置の光入力パワーを一定範囲内に収めることができ、また、上り方向の最大転送能力に与える影響を小さくすることができる。
請求項４、９、１９に記載の発明によれば、局側装置のモニタ用フォトダイオードを削減しても加入者側装置の光入力パワーを一定範囲内に収めることができ、また、局側装置の光出力が瞬断してもその影響を受けずに局側装置の光出力パワーを制御することができる。
請求項５に記載の発明によれば、局側装置が最初の規定範囲外通知により下り光出力信号のパワーレベルを切り替えた後に規定範囲外となった場合にアラームを出力することにより、下り光伝送路の不具合を判断することができる。
請求項１０に記載の発明によれば、局側装置のモニタ用フォトダイオードを削減しても加入者側装置の光入力パワーを一定範囲内に収めることができ、また、局側装置で下り光伝送路の不具合を判断することができる。
請求項１２に記載の発明によれば、局側装置のモニタ用フォトダイオードを削減しても加入者側装置の光入力パワーを一定範囲内に収めることができ、また、加入者側装置への下り光出力信号のパワーレベルが頻繁に切り替わることを防止することができる。
請求項１３、１５、２４、２６に記載の発明によれば、下り光出力信号のパワーレベルを切り替えるときに、下り信号が誤ることを防止することができる。
請求項１４、２５に記載の発明によれば、下り光出力信号のパワーレベルを切り替えるときに、下り信号が誤ることを防止することができ、また、下り信号の一時的な伝送容量の低下を防止することができる。
請求項２０に記載の発明によれば、局側装置のモニタ用フォトダイオードを削減しても局側装置の光出力パワーの変動幅を小さくすることができ、また、加入者側装置の光出力が瞬断しても局側装置の光出力パワーを制御することができる。
請求項２１に記載の発明によれば、局側装置のモニタ用フォトダイオードを削減しても局側装置の光出力パワーの変動幅を小さくすることができ、また、局側装置側で下り光伝送路の不具合を判断することができる。
請求項２３に記載の発明によれば、局側装置のモニタ用フォトダイオードを削減しても局側装置の光出力パワーの変動幅を小さくすることができ、また、加入者側装置への下り光出力信号のパワーレベルが頻繁に切り替わることを防止することができる。
【図面の簡単な説明】
【図１】本発明の第１〜４の実施の形態における光通信システムのブロック図
【図２】本発明の第１の実施の形態における光通信システムの動作説明図
【図３】本発明の第２の実施の形態における光通信システムの動作説明図
【図４】本発明の第３の実施の形態における光通信システムの動作説明図
【図５】本発明の第４の実施の形態における光通信システムの動作説明図
【図６】本発明の第５及び第６の実施の形態における光通信システムのブロック図
【図７】本発明の第５の実施の形態における光通信システムの動作説明図
【図８】本発明の第６の実施の形態における光通信システムの動作説明図
【図９】本発明の第７の実施の形態における光通信システムのブロック図
【図１０】本発明の第８の実施の形態における光通信システムのブロック図
【図１１】本発明の第９の実施の形態における光通信システムのブロック図
【図１２】本発明の第１０の実施の形態における光通信システムのブロック図
【図１３】本発明の第１１の実施の形態における光通信システムの動作説明図
【図１４】本発明の第１４の実施の形態における光通信システムの動作説明図
【図１５】本発明の第１５の実施の形態における光通信システムの動作説明図
【図１６】本発明の第１６の実施の形態における光通信システムの動作説明図
【図１７】従来の光通信システムのブロック図
【図１８】従来の光通信システムの要部を示すブロック図
【符号の説明】
１００　局側装置
２００　加入者側装置
１０２、１０８　レーザーダイオード（ＬＤ）
１０１２、１０７２　電圧制御電流源
１０１５　送信レベル設定機能部
１０７３　上りパルス列合成回路
【図１】
2004032476.tif 000003
【図２】
2004032476.tif 000004
【図３】
2004032476.tif 000005
【図４】
2004032476.tif 000006
【図５】
2004032476.tif 000007
【図６】
2004032476.tif 000008
【図７】
2004032476.tif 000009
【図８】
2004032476.tif 000010
【図９】
2004032476.tif 000011
【図１０】
2004032476.tif 000012
【図１１】
2004032476.tif 000013
【図１２】
2004032476.tif 000014
【図１３】
2004032476.tif 000015
【図１４】
2004032476.tif 000016
【図１５】
2004032476.tif 000017
【図１６】
2004032476.tif 000018
【図１７】
2004032476.tif 000019
【図１８】
2004032476.tif 000020